(57)【特許請求の範囲】
【請求項１】
入力受付面を介してタッチ入力を受け付ける第１入力受付部と、
前記入力受付面を介して筆記具による入力を受け付ける第２入力受付部と、
水平面に対する傾きを検出するための第１センサ部と、
制御部と、を備え、
前記制御部は、
前記第１センサ部の検出信号に基づいて前記入力受付面の水平面に対する傾きを取得し、
前記入力受付面の水平面に対する傾きが所定の閾値以下であることに基づいて、前記第１入力受付部に対する前記タッチ入力を無効にする、
ことを特徴とする情報端末装置。
【請求項２】
請求項１に記載の情報端末装置において、
前記第１センサ部は、加速度センサからなる、
ことを特徴とする情報端末装置。
【請求項３】
請求項１に記載の情報端末装置において、
前記第１センサ部は、ジャイロセンサおよび加速度センサからなる、
ことを特徴とする情報端末装置。
【請求項４】
請求項１ないし３の何れか一項に記載の情報端末装置において、
前記所定の閾値を設定するための閾値設定画面を表示する表示部を備え、
前記制御部は、前記閾値設定画面を介して受け付けた前記所定の閾値を記憶部に記憶させる、
ことを特徴とする情報端末装置。
【請求項５】
請求項１ないし４の何れか一項に記載の情報端末装置において、
前記入力受付面は、縦横の長さが異なるよう構成され、
前記入力受付面の向きを検出するための第２センサ部をさらに備え、
前記制御部は、
前記第２センサ部の検出信号に基づいて前記入力受付面が縦向きと横向きの何れであるかを判定し、
前記入力受付面が縦向きである場合に、前記入力受付面の水平面に対する傾きが前記所定の閾値以下であっても、前記第１入力受付部に対する前記タッチ入力を無効にしない、
ことを特徴とする情報端末装置。
【請求項６】
請求項５に記載の情報端末装置において、
前記第２センサ部は、加速度センサからなる、
ことを特徴とする情報端末装置。
【請求項７】
請求項１ないし６の何れか一項に記載の情報端末装置において、
前記制御部は、前記第１入力受付部からの信号をアプリケーションの実行部に通知しないことにより、前記第１入力受付部に対する前記タッチ入力を無効にする、
ことを特徴とする情報端末装置。
【請求項８】
請求項１ないし７の何れか一項に記載の情報端末装置において、
前記筆記具と前記第２入力受付部は、電磁式のデジタイザを構成する、
ことを特徴とする情報端末装置。
【発明の詳細な説明】
【技術分野】
【０００１】
本発明は、手書き入力デバイスを備えた情報端末装置に関する。
【背景技術】
【０００２】
タブレット端末等の情報端末装置では、ペンによる入力および指等によるタッチ入力が可能なものが知られている。このような情報端末装置では、ペンによる入力が行われる際に、タッチ入力がなされることを防止するための構成がとられうる。たとえば、特許文献１に記載の情報入力処理装置では、専用ペンが電磁誘導方式タブレットデバイスに接近すると、タッチ入力が無効とされる。
【先行技術文献】
【特許文献】
【０００３】
【特許文献１】特開平９−１３８７３０号公報
【発明の概要】
【発明が解決しようとする課題】
【０００４】
しかしながら、特許文献１の情報入力処理装置では、たとえば、専用ペンが電磁誘導方式タブレットデバイスに近付く前に、専用ペンを持った手が感圧抵抗膜方式タブレットデバイスに接触してしまうと、タッチ入力が行われてしまう。この場合、ユーザにとって意図しないタッチ入力が有効に受け付けられてしまうとの問題が生じる。
【０００５】
かかる課題に鑑み、本発明は、ペンによる入力が行われる際にユーザにとって意図しないタッチ入力を抑制できる情報端末装置を提供することを目的とする。
【課題を解決するための手段】
【０００６】
本発明の主たる態様に係る情報端末装置は、入力受付面を介してタッチ入力を受け付ける第１入力受付部と、前記入力受付面を介して筆記具による入力を受け付ける第２入力受付部と、水平面に対する傾きを検出するための第１センサ部と、制御部と、を備える。前記制御部は、前記第１センサ部の検出信号に基づいて前記入力受付面の水平面に対する傾きを取得し、前記入力受付面の水平面に対する傾きが所定の閾値以下であることに基づいて、前記第１入力受付部に対する前記タッチ入力を無効にする。
【０００７】
ユーザが情報端末装置を机等に置いて使用するような場合には、筆記具による入力が想定され、ユーザが情報端末装置を机等に置いているか否かは、入力受付面の水平面に対する傾きが所定の閾値以下であるか否かにより判定できる。本態様に係る情報端末装置によれば、入力受付面の水平面に対する傾きが所定の閾値以下であることに基づいてタッチ入力が無効とされる。したがって、ユーザが情報端末装置を机等に置いて筆記具による入力を行う際に、筆記具を持った手が入力受付面に接触するといった、ユーザにとって意図しないタッチ入力を抑制できる。
【０００８】
また、ユーザが情報端末装置を手に持って使用するような場合には、筆記具とタッチの両方による入力が想定され、ユーザが情報端末装置を手に持っているか否かは、入力受付面の水平面に対する傾きが所定の閾値より大きいか否かにより判定できる。また、入力受付面の水平面に対する傾きが所定の閾値より大きい場合には、筆記具を持った手が入力受付面に接触する可能性が低い。本態様に係る情報端末装置によれば、入力受付面の水平面に対する傾きが所定の閾値より大きい場合、タッチ入力は無効とされない。したがって、ユーザが情報端末装置を手に持って使用する際に、タッチと筆記具の両方による入力が可能となるため、ユーザの利便性が向上する。また、この場合、ユーザの手が入力受付面に接触する可能性が低いため、ユーザにとって意図しないタッチ入力が、使用形態から未然に回避される。
【０００９】
この場合、前記第１センサ部は、加速度センサからなる構成とされ得る。こうすると、制御部は、加速度センサの検出信号に基づいて入力受付面の水平面に対する傾きを取得できる。
【００１０】
あるいは、この場合、前記第１センサ部は、ジャイロセンサおよび加速度センサからなる構成とされ得る。こうすると、制御部は、ジャイロセンサの検出信号および加速度センサの検出信号に基づいて入力受付面の水平面に対する傾きを取得できる。また、加速度センサの検出信号のみに基づく場合に比べて、制御部は、入力受付面の水平面に対する傾きを精度良く取得できる。
【００１１】
本態様に係る情報端末装置は、前記所定の閾値を設定するための閾値設定画面を表示する表示部を備える構成とされ得る。前記制御部は、前記閾値設定画面を介して受け付けた前記所定の閾値を記憶部に記憶させる構成とされ得る。こうすると、ユーザは、設定画面を介して所定の閾値を設定できるため、使用形態に合わせてタッチ入力を無効にするレベルを設定できる。
【００１２】
本態様に係る情報端末装置において、前記入力受付面は、縦横の長さが異なるよう構成され、本態様に係る情報端末装置は、前記入力受付面の向きを検出するための第２センサ部をさらに備える構成とされ得る。前記制御部は、前記第２センサ部の検出信号に基づいて前記入力受付面が縦向きと横向きの何れであるかを判定し、前記入力受付面が縦向きである場合に、前記入力受付面の水平面に対する傾きが前記所定の閾値以下であっても、前記第１入力受付部に対する前記タッチ入力を無効にしない構成とされ得る。入力受付面が縦向きである場合、筆記具を持った手が入力受付面に接触する可能性が低い。本態様に係る情報端末装置によれば、入力受付面が縦向きである場合、タッチ入力は無効とされない。したがって、ユーザが情報端末装置を机等に置いて筆記具による入力を行う際でも、入力受付面が縦向きであれば、タッチと筆記具の両方による入力が可能となるため、ユーザの利便性が向上する。また、この場合、ユーザの手が入力受付面に接触する可能性が低いため、ユーザにとって意図しないタッチ入力が、使用形態から未然に回避される。
【００１３】
この場合、前記第２センサ部は、加速度センサからなる構成とされ得る。こうすると、制御部は、加速度センサの検出信号に基づいて入力受付面の向きを判定できる。
【００１４】
本態様に係る情報端末装置において、前記制御部は、前記第１入力受付部からの信号をアプリケーションの実行部に通知しないことにより、前記第１入力受付部に対する前記タッチ入力を無効にする構成とされ得る。こうすると、タッチ入力を無効にするために第１入力受付部の動作自体が無効にされるような場合に比べて、第１入力受付部に対するタッチ入力を円滑に無効にできる。
【００１５】
本態様に係る情報端末装置において、前記筆記具と前記第２入力受付部は、電磁式のデジタイザにより構成され得る。こうすると、筆記具による入力を受け付けることを、簡素な構成で実現できる。
【発明の効果】
【００１６】
以上のとおり、本発明によれば、ペンによる入力が行われる際にユーザにとって意図しないタッチ入力を抑制できる情報端末装置を提供できる。
【００１７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１８】
【図１】図１（ａ）は、実施形態１に係る情報端末装置の正面図であり、図１（ｂ）は、実施形態１に係る情報端末装置の断面を示す図である。
【図２】図２（ａ）、（ｂ）は、実施形態１に係る情報端末装置の上面の一部を示す図である。
【図３】図３は、実施形態１に係る情報端末装置の構成を示すブロック図である。
【図４】図４は、実施形態１に係るタッチパッドがタッチ入力を検出した場合の処理を示すフローチャートである。
【図５】図５（ａ）は、実施形態１に係る閾値を設定するための処理を示すフローチャートであり、図５（ｂ）は、実施形態１に係る閾値設定画面の構成を示す図である。
【図６】図６（ａ）は、実施形態１に係る入力受付面の水平面に対する角度が閾値以下の状態を示す図であり、図６（ｂ）は、実施形態１に係る入力受付面の水平面に対する角度が閾値より大きい状態を示す図である。
【図７】図７は、実施形態１の変更例に係るタッチパッドがタッチ入力を検出した場合の処理を示すフローチャートである。
【図８】図８は、実施形態２に係るタッチパッドがタッチ入力を検出した場合の処理を示すフローチャートである。
【図９】図９（ａ）は、実施形態２に係る入力受付面が縦向き、かつ、入力受付面の水平面に対する角度が閾値以下の状態を示す図であり、図９（ｂ）は、実施形態２に係る入力受付面が縦向き、かつ、入力受付面の水平面に対する角度が閾値より大きい状態を示す図である。
【図１０】図１０（ａ）は、実施形態２に係る入力受付面が横向き、かつ、入力受付面の水平面に対する角度が閾値以下の状態を示す図であり、図１０（ｂ）は、実施形態２に係る入力受付面が横向き、かつ、入力受付面の水平面に対する角度が閾値より大きい状態を示す図である。
【発明を実施するための形態】
【００１９】
＜実施形態１＞
実施形態１は、情報端末装置の一種であるタブレット端末に本発明を適用したものである。実施形態１の情報端末装置は、教育用として利用されることが想定されている。なお、本発明は、タブレット端末に限らず、携帯電話機やノートパソコン等、他の種類の情報端末装置に適用されても良い。
【００２０】
図１（ａ）は、情報端末装置１の正面図であり、図１（ｂ）は、情報端末装置１の断面を示す図であり、図２（ａ）、（ｂ）は、情報端末装置１の上面の一部を示す図である。図１（ａ）〜図２（ｂ）には、便宜上、互いに直交するＸＹＺ軸が示されている。Ｘ軸方向は、後述する入力受付面３１ａの短辺が延びる方向であり、Ｙ軸方向は、入力受付面３１ａの長辺が延びる方向であり、Ｚ軸方向は、入力受付面３１ａに垂直な方向である。
【００２１】
図１（ａ）、（ｂ）に示すように、情報端末装置１は、筐体１０と、デジタイザペン２０と、タッチパネル３０と、を備える。筐体１０には、デジタイザペン２０を収容するための収容部１１が設けられている。デジタイザペン２０の先端２１には、巻線コイルとコンデンサが配されている。タッチパネル３０は、カバー３１と、液晶表示部３２と、タッチパッド３３と、デジタイザセンサ３４と、がＺ軸方向に重ねられた構成となっている。
【００２２】
カバー３１は、透明であり、筐体１０を覆っている。カバー３１の表側面（Ｚ軸正側の面）は、平坦な面である。タッチパッド３３とデジタイザセンサ３４に対する入力は、カバー３１の入力受付面３１ａを介して行われる。入力受付面３１ａは、カバー３１の表側面の中央部分に位置する矩形形状の面であり、タッチパッド３３とデジタイザセンサ３４に対する入力を受付可能な領域に対応する。入力受付面３１ａは、縦横の長さが異なるように構成されている。
【００２３】
液晶表示部３２は、液晶パネルと、液晶パネルを照明するＬＥＤバックライトとを含み、各種の画像を表示する。
【００２４】
タッチパッド３３は、透明であり、液晶表示部３２の表示面上に配され、入力受付面３１ａを介して指等による入力（以下、「タッチ入力」という）を受け付ける。タッチパッド３３は、静電容量式のタッチパッドである。タッチパッド３３は、タッチ入力が行われると、静電容量の変化に基づいてタッチ入力を検出し、タッチされた位置を示す座標信号と、タッチされた面積を示す面積信号とを出力する。座標信号と面積信号は、後述する制御部７０に対して、ハードウェア割り込みにより送信される。なお、タッチパッド３３が、複数のタッチを同時に検出できる、いわゆるマルチタッチに対応したタッチパッドである場合、タッチパッド３３は、上記のような座標信号および面積信号を、タッチの数だけ出力する。
【００２５】
デジタイザセンサ３４は、液晶表示部３２の表示面下に配され、入力受付面３１ａを介してデジタイザペン２０による入力を受け付ける。デジタイザセンサ３４は、デジタイザペン２０とともに、電磁式のデジタイザを構成する。デジタイザセンサ３４には、各座標位置にセンサコイルが配されている。デジタイザセンサ３４は、一定周期で各センサコイルに交流電流を流す。
【００２６】
デジタイザペン２０がデジタイザセンサ３４に接近すると、デジタイザセンサ３４の各センサコイルに流れる交流電流によって、デジタイザペン２０の巻線コイルに誘導起電力が生じる。デジタイザペン２０では、この誘導起電力によって、巻線コイルとコンデンサからなるＬＣ共振回路に電流が流れる。こうして巻線コイルに電流が流れると、デジタイザセンサ３４側のセンサコイルのうち、デジタイザペン２０付近のセンサコイルに誘導起電力が生じる。デジタイザセンサ３４は、最も大きな誘導起電力が生じたセンサコイルを特定し、このセンサコイルの座標位置を示す座標信号を出力する。
【００２７】
デジタイザペン２０は、入力受付面３１ａに押し当てられると、デジタイザペン２０の内部に配された巻線コイルが縮むように構成されている。デジタイザペン２０が入力受付面３１ａに押し当てられることにより巻線コイルが縮むと、デジタイザセンサ３４のセンサコイルを流れる電流量が変化する。デジタイザセンサ３４は、この電流量の変化に応じて、デジタイザペン２０が接触したことを示す接触信号を出力する。デジタイザペン２０が入力受付面３１ａから離されると、巻線コイルの縮みが解消されるため、デジタイザセンサ３４のセンサコイルに流れる電流量が変化する。デジタイザセンサ３４は、この電流量の変化に応じて、デジタイザペン２０が離間したことを示す離間信号を出力する。
【００２８】
なお、情報端末装置１は、教育用として利用されることが想定されているため、入力には主としてデジタイザペン２０を用いることが想定されている。したがって、タッチ入力は補助的に用いられることになる。具体的には、ユーザが情報端末装置１を机等に置いて使用するような場合には、デジタイザペン２０による入力が想定され、ユーザが情報端末装置１を手に持って使用するような場合には、デジタイザペン２０とタッチの両方による入力が想定される。このように、情報端末装置１に対する入力に用いられる手段は、ユーザの使用形態に応じて異なる。
【００２９】
図２（ａ）、（ｂ）に示すように、情報端末装置１の上面（Ｙ軸負側のＸＺ平面に平行な面）には、タッチ切替スイッチ４０が配置されている。タッチ切替スイッチ４０は、スライドスイッチであり、ユーザによりＸ軸方向に移動可能に構成されている。タッチ切替スイッチ４０は、タッチパッド３３に対するタッチ入力を有効および無効にするための操作を受け付ける。タッチ切替スイッチ４０が、図２（ａ）に示すようにＸ軸負方向に移動されオンとなると、タッチパッド３３に対するタッチ入力が有効に切り替えられる。他方、タッチ切替スイッチ４０が、図２（ｂ）に示すようにＸ軸正方向に移動されオフとなると、タッチパッド３３に対するタッチ入力が無効に切り替えられる。
【００３０】
図３は、情報端末装置１の構成を示すブロック図である。
【００３１】
情報端末装置１は、図１（ａ）〜図２（ｂ）に示したように、液晶表示部３２と、タッチパッド３３と、デジタイザセンサ３４と、デジタイザペン２０と、タッチ切替スイッチ４０と、を備える。また、情報端末装置１は、加速度センサ５０と、ジャイロセンサ６０と、制御部７０と、を備える。加速度センサ５０と、ジャイロセンサ６０と、制御部７０は、図１（ａ）に示す筐体１０内に収容されている。
【００３２】
加速度センサ５０は、直交する３軸方向（図１（ａ）のＸＹＺ軸方向）の加速度を検出し、３軸方向の加速度を検出信号として出力する。ジャイロセンサ６０は、直交する３軸まわり（図１（ａ）のＸＹＺ軸まわり）の角速度を検出し、３軸まわりの角速度を検出信号として出力する。
【００３３】
制御部７０は、ＣＰＵと、ＲＯＭ、ＲＡＭ、フラッシュメモリ等からなる記憶部７１と、を含む。記憶部７１は、各種のプログラム、ならびに、後述する閾値ｄ０、入力受付面３１ａの水平面に対する角度、および入力受付面３１ａの向きを記憶している。制御部７０は、情報端末装置１の各部から信号を受信し、記憶部７１に記憶されたプログラムに従って、情報端末装置１の各部を制御する。
【００３４】
制御部７０には、記憶部７１に保持されたプログラムによって、手書きアプリ実行部７２と、傾き取得部７３と、向き判定部７４の機能が付与される。
【００３５】
手書きアプリ実行部７２は、手書きアプリケーションを起動および停止し、タッチパッド３３から出力される座標信号および面積信号、ならびに、デジタイザセンサ３４から出力される座標信号、接触信号および離間信号に応じた手書き機能を実行する。手書きアプリケーションは、液晶表示部３２に表示された任意の画像の上に重ねて手書きできるノートアプリケーションが含まれる。
【００３６】
ノートアプリケーションの場合、タッチパッド３３の座標信号が検出されると、座標信号と面積信号に応じて、液晶表示部３２に表示される画像に対する線の描画が行われる。タッチパッド３３の座標信号が検出されなくなると、線の描画が終了される。デジタイザペン２０の接触信号が検出されると、デジタイザセンサ３４の座標信号に応じて、液晶表示部３２に表示される画像に対する線の描画が開始される。その後、デジタイザペン２０の離間信号が検出されるまで、デジタイザペン２０の移動により出力された座標信号に応じて線が描画される。デジタイザペン２０の離間信号が検出されると、線の描画が終了される。画像の保存処理が実行されることにより、手書きの線や文字などの画像が背景画像とともに記憶部７１に記憶される。
【００３７】
傾き取得部７３は、加速度センサ５０の検出信号とジャイロセンサ６０の検出信号に基づいて、入力受付面３１ａの水平面に対する傾き（角度ｄ）を取得する。具体的には、傾き取得部７３は、加速度センサ５０の検出信号に基づいて、重力方向がＺ軸負方向に一致した時点を基準とし、基準時点において記憶部７１に記憶している角度ｄをリセットする。傾き取得部７３は、ジャイロセンサ６０の検出信号に基づいて、入力受付面３１ａの基準時点からの回転角度を一定間隔で取得する。そして、傾き取得部７３は、記憶部７１に記憶している角度ｄに、取得した回転角度を加算することにより、現在の角度ｄを取得する。取得された角度ｄは、記憶部７１に記憶される。これにより、記憶部７１に記憶されている角度は、現時点における入力受付面３１ａの水平面に対する角度を示すものとなる。
【００３８】
向き判定部７４は、加速度センサ５０の検出信号に基づいて、入力受付面３１ａが縦向きと横向きの何れであるかを判定する。具体的には、向き判定部７４は、加速度センサ５０の検出信号に基づいて重力方向を取得し、取得した重力方向に基づいて入力受付面３１ａの向きを判定する。たとえば、重力方向に対する入力受付面３１ａの短辺の角度が、重力方向に対する入力受付面３１ａの長辺の角度よりも大きい場合、入力受付面３１ａは縦向きと判定される。反対に、重力方向に対する入力受付面３１ａの短辺の角度が、重力方向に対する入力受付面３１ａの長辺の角度よりも小さい場合、入力受付面３１ａは横向きと判定される。向き判定部７４は、入力受付面３１ａの向きの判定を一定間隔で行い、判定結果を記憶部７１に記憶する。これにより、記憶部７１に記憶されている向きは、現時点における入力受付面３１ａの向きを示すものとなる。
【００３９】
図４は、タッチパッド３３がタッチ入力を検出した場合の処理を示すフローチャートである。図４の処理は、タッチパッド３３がタッチ入力を検出し、制御部７０がタッチパッド３３から出力された座標信号および面積信号を受信すると開始される。
【００４０】
制御部７０は、タッチパッド３３から座標信号および面積信号を受信すると、タッチ切替スイッチ４０がオンであるか否かを判定する（Ｓ１１）。タッチ切替スイッチ４０がオフである場合（Ｓ１１：ＮＯ）、後述するＳ１３の処理が行われることなく、図４に示す処理が終了する。このように、タッチ切替スイッチ４０がオフであると、常にタッチ入力が無効となるため、デジタイザペン２０によって行われた入力のみが有効となる。
【００４１】
タッチ切替スイッチ４０がオンである場合（Ｓ１１：ＹＥＳ）、制御部７０は、入力受付面３１ａの水平面に対する角度ｄが所定の閾値ｄ０より大きいか否かを判定する（Ｓ１２）。角度ｄは、上述したように、傾き取得部７３によって継続的に更新され、記憶部７１に記憶されている。閾値ｄ０は、ユーザがデジタイザペン２０を用いて入力を行う際に、デジタイザペン２０を持つユーザの手が入力受付面３１ａに接触するか否かを判定するための値として予め記憶部７１に記憶されている。閾値ｄ０は、初期値として、たとえば６０度に設定される。なお、後述するように、閾値ｄ０は閾値設定画面８０を介して設定可能である。
【００４２】
入力受付面３１ａの水平面に対する角度ｄが閾値ｄ０以下の場合（Ｓ１２：ＮＯ）、制御部７０は、Ｓ１３の処理を実行せずに処理を終了させる。この場合、制御部７０は、タッチパッド３３から受信した座標信号および面積信号を、タッチイベントとして手書きアプリ実行部７２に通知しない。すなわち、ユーザがタッチパッド３３に対して行ったタッチ入力は無効となる。角度ｄが閾値ｄ０以下であると、デジタイザペン２０を持つユーザの手が、入力受付面３１ａに接触する可能性が高い。したがって、タッチ入力が無効となることにより、意図しないタッチ入力が抑制される。
【００４３】
他方、入力受付面３１ａの水平面に対する角度ｄが閾値ｄ０より大きい場合（Ｓ１２：ＹＥＳ）、制御部７０は、タッチパッド３３から受信した座標信号および面積信号を、タッチイベントとして手書きアプリ実行部７２に通知する（Ｓ１３）。これにより、手書きアプリ実行部７２は、タッチパッド３３から出力される座標信号および面積信号に応じた手書き機能を実行する。角度ｄが閾値ｄ０より大きいと、デジタイザペン２０を持つユーザの手が、入力受付面３１ａに接触する可能性が低い。したがって、タッチ入力が有効となっても、意図しないタッチ入力が生じる可能性は低い。
【００４４】
図５（ａ）は、閾値ｄ０を設定するための処理を示すフローチャートである。
【００４５】
制御部７０は、ユーザにより、図５（ｂ）に示す閾値設定画面８０を表示するための指示が行われたか否かを判定する（Ｓ２１）。閾値設定画面８０の表示指示が行われると（Ｓ２１：ＹＥＳ）、制御部７０は、液晶表示部３２に閾値設定画面８０を表示させる（Ｓ２２）。
【００４６】
図５（ｂ）は、閾値設定画面８０の構成を示す図である。閾値設定画面８０は、閾値入力領域８１と、角度取得ボタン８２と、ＯＫボタン８３と、キャンセルボタン８４と、を備える。ユーザは、閾値入力領域８１を選択し、ソフトウェアキーボード等を利用して、閾値ｄ０として設定したい値を閾値入力領域８１に入力する。また、ユーザは、角度取得ボタン８２を押すことにより、現在の入力受付面３１ａの水平面に対する角度ｄを、閾値入力領域８１に入力することもできる。ユーザは、閾値入力領域８１に入力した値を閾値ｄ０として設定する場合、ＯＫボタン８３を押し、閾値ｄ０を設定しない場合、キャンセルボタン８４を押す。
【００４７】
図５（ａ）に戻り、ユーザによりＯＫボタン８３が押されると（Ｓ２３：ＹＥＳ）、制御部７０は、閾値入力領域８１に入力された値を閾値ｄ０として記憶部７１に記憶し（Ｓ２４）、閾値設定画面８０を閉じる。他方、ユーザによりキャンセルボタン８４が押下されると（Ｓ２３：ＮＯ）、制御部７０は、閾値入力領域８１に入力された値を破棄して、閾値設定画面８０を閉じる。
【００４８】
＜実施形態１の効果＞
以上、実施形態１によれば、以下の効果が奏される。
【００４９】
ユーザが情報端末装置１を机等に置いて使用するような場合には、デジタイザペン２０による入力が想定される。実施形態１によれば、ユーザが情報端末装置１を机等に置いてデジタイザペン２０による入力を行う際に、タッチ切替スイッチ４０がオンの場合でも、デジタイザペン２０を持ったユーザの手が入力受付面３１ａに接触するといった、ユーザにとって意図しないタッチ入力を抑制できる。
【００５０】
図６（ａ）は、入力受付面３１ａの水平面に対する角度ｄが閾値ｄ０以下の状態を示す図である。角度ｄが閾値ｄ０以下であると、ユーザが情報端末装置１を机等に置いて使用していることが想定される。この場合、デジタイザペン２０を持つユーザの手は入力受付面３１ａに接触しやすくなる。図６（ａ）において、楕円で囲んだ部分は、ユーザの手が接触している入力受付面３１ａの部分を示している。しかしながら、この場合、図４に示す処理によれば、タッチ切替スイッチ４０がオンのときでも、タッチ入力が無効とされる。これにより、ユーザにとって意図しないタッチ入力を抑制できる。
【００５１】
また、ユーザが情報端末装置１を手に持って使用するような場合には、デジタイザペン２０とタッチの両方による入力が想定される。実施形態１によれば、ユーザが情報端末装置１を手に持って使用する際に、デジタイザペン２０とタッチの両方による入力が可能となるため、ユーザの利便性が向上する。
【００５２】
図６（ｂ）は、入力受付面３１ａの水平面に対する角度ｄが閾値ｄ０より大きい状態を示す図である。角度ｄが閾値ｄ０より大きいと、ユーザが情報端末装置１を手に持って使用していることが想定される。この場合、デジタイザペン２０を持つユーザの手は入力受付面３１ａに接触しにくくなる。この場合、図４に示す処理によれば、タッチ切替スイッチ４０がオンのときに、タッチ入力が無効とされることはない。これにより、デジタイザペン２０とタッチの両方による入力が可能となるため、ユーザの利便性が向上する。また、この場合、ユーザの手が入力受付面３１ａに接触する可能性が低いため、ユーザにとって意図しないタッチ入力が、使用形態から未然に回避される。
【００５３】
なお、ユーザは、意図しないタッチ入力を抑制したい場合には、予めタッチ切替スイッチ４０をオフにすることにより、タッチ入力を無効にすることもできる。しかしながら、タッチ入力を無効にすることを忘れてデジタイザペン２０による入力を行ってしまった場合には、意図しないタッチ入力が生じるおそれがある。この場合でも、図４に示す処理によれば、意図しないタッチ入力を抑制できる。また、ユーザは、デジタイザペン２０による入力をすぐに開始したい場合に、タッチ切替スイッチ４０をオフにする操作を省略する場合もある。この場合でも、図４に示す処理によれば、意図しないタッチ入力が抑制される。よって、タッチ切替スイッチ４０がオンの場合でも、タッチ切替スイッチ４０をオフにする操作を省略して、すぐにデジタイザペン２０による入力を開始できる。
【００５４】
また、ユーザは、閾値設定画面８０を介して閾値ｄ０の値を設定できるため、使用形態に合わせてタッチ入力を無効にするレベルを設定できる。すなわち、ユーザが情報端末装置１を机等に置いて使用するときや、ユーザが情報端末装置１を手に持って使用するときの、入力受付面３１ａの水平面に対する角度ｄは、ユーザの使用形態によって異なる。実施形態１によれば、このようなユーザの使用形態に合わせてタッチ入力を無効にするレベルを設定できる。
【００５５】
また、制御部７０は、タッチパッド３３からの信号を手書きアプリ実行部７２に通知しないことにより、タッチパッド３３に対するタッチ入力を無効にする。これにより、タッチパッド３３に対するタッチ入力を円滑に無効にできる。すなわち、タッチ入力を無効にするためにタッチパッド３３の動作自体が無効にされるような場合、タッチ入力の有効および無効の切り替えを迅速に行うことは困難である。また、この場合、タッチ入力の有効および無効の切り替えが連続的に行われると、タッチパッド３３が異常状態となりやすくなる。しかしながら、実施形態１のように、タッチ入力を無効にするためにタッチパッド３３からの信号を手書きアプリ実行部７２に通知しないようにすると、上記のような場合に比べて、タッチパッド３３に対するタッチ入力を円滑に無効にできる。
【００５６】
また、デジタイザペン２０とデジタイザセンサ３４は、電磁式のデジタイザを構成している。このようにデジタイザペン２０とデジタイザセンサ３４が構成されると、デジタイザペン２０による入力を受け付けることを、簡素な構成で実現できる。
【００５７】
＜実施形態１の変更例＞
実施形態１では、入力受付面３１ａの水平面に対する角度ｄが閾値ｄ０以下であると、タッチ入力は全て無効とされた。しかしながら、タッチ入力が可能となる手段を別途設けることにより、角度ｄが閾値ｄ０以下であっても、タッチ入力が可能とされても良い。
【００５８】
図７は、本変更例におけるタッチパッド３３がタッチ入力を検出した場合の処理を示すフローチャートである。図７の処理は、図４の処理に対して、Ｓ１１の後段にＳ１４〜Ｓ１６の処理が追加されている。その他の制御および構成については、実施形態１と同様である。以下、実施形態１と異なる点について説明する。
【００５９】
タッチ切替スイッチ４０がオンである場合（Ｓ１１：ＹＥＳ）、制御部７０は、タッチ入力が強制タッチ入力フラグの切り替え操作であったか否かを判定する（Ｓ１４）。切り替え操作は、デジタイザペン２０による入力が通常行われる際に誤ってタッチされる可能性の低い場所（たとえば、入力受付面３１ａの隅）に対するタッチ入力である。タッチ入力が強制タッチ入力フラグの切り替え操作であった場合（Ｓ１４：ＹＥＳ）、制御部７０は、強制タッチ入力フラグの切り替えを行う（Ｓ１５）。具体的には、制御部７０は、強制タッチ入力フラグがオンの場合はオフに設定し、強制タッチ入力フラグがオフの場合はオンに設定する。強制タッチ入力フラグは、記憶部７１に記憶されており、オフに対応する値（たとえば０）とオンに対応する値（たとえば１）が設定される。なお、強制タッチ入力フラグは、情報端末装置１が起動したときに予めオフに設定される。
【００６０】
タッチ入力が強制タッチ入力フラグの切り替え操作でなかった場合（Ｓ１４：ＮＯ）、制御部７０は、強制タッチ入力フラグがオンであるか否かを判定する（Ｓ１６）。強制タッチ入力フラグがオンの場合（Ｓ１６：ＹＥＳ）、制御部７０は、角度ｄに基づいた判定を行うことなく、タッチパッド３３から受信した座標信号および面積信号を、タッチイベントとして手書きアプリ実行部７２に通知する（Ｓ１３）。他方、強制タッチ入力フラグがオフの場合（Ｓ１６：ＮＯ）、制御部７０は、Ｓ１２において入力受付面３１ａの水平面に対する角度ｄに基づいて判定を行う。
【００６１】
以上、強制タッチ入力フラグが用いられると、角度ｄが閾値ｄ０以下であっても、タッチ入力が可能となる。たとえば、ユーザは、情報端末装置１を机等に置いて使用している際にタッチ入力を行いたい場合、上記切り替え操作により、強制タッチ入力フラグをオンにする。こうすると、角度ｄにかかわらずタッチ入力が有効になるため、ユーザは、デジタイザペン２０による入力に加えて、タッチ入力も行うことができるようになる。
【００６２】
なお、本変更例では、所定の場所に対してタッチ入力が行われた場合に、強制タッチ入力フラグの切り替えが行われた。しかしながら、これに限らず、デジタイザペン２０による入力が通常行われにくい場所（たとえば、入力受付面３１ａの隅）に対してデジタイザペン２０による入力が行われた場合に、強制タッチ入力フラグの切り替えが行われても良い。また、デジタイザペン２０とタッチによる入力により、液晶表示部３２に表示されるメニューに基づいて切り替え指示が入力された場合に、強制タッチ入力フラグの切り替えが行われても良い。
【００６３】
＜実施形態２＞
実施形態１では、入力受付面３１ａの水平面に対する角度ｄが閾値ｄ０以下であると、タッチ入力は全て無効とされた。しかしながら、角度ｄが閾値ｄ０以下であっても、所定の条件のもとでは、タッチ入力が可能とされても良い。
【００６４】
図８は、実施形態２におけるタッチパッド３３がタッチ入力を検出した場合の処理を示すフローチャートである。図８の処理は、図４の処理に対して、Ｓ１１とＳ１２の間にＳ２１の処理が追加されている。その他の制御および構成については、実施形態１と同様である。以下、実施形態１と異なる点について説明する。
【００６５】
タッチ切替スイッチ４０がオンである場合（Ｓ１１：ＹＥＳ）、制御部７０は、入力受付面３１ａが縦向きであるか否かを判定する（Ｓ２１）。入力受付面３１ａの向きは、上述したように、傾き取得部７３によって一定間隔で取得され、記憶部７１に記憶されている。
【００６６】
入力受付面３１ａが縦向きである場合（Ｓ２１：ＹＥＳ）、制御部７０は、角度ｄに基づいた判定を行うことなく、タッチパッド３３から受信した座標信号および面積信号を、タッチイベントとして手書きアプリ実行部７２に通知する（Ｓ１３）。これにより、入力受付面３１ａの水平面に対する角度ｄにかかわらず、タッチ入力が有効となる。入力受付面３１ａが縦向きであると、デジタイザペン２０を持つユーザの手が、入力受付面３１ａに接触する可能性が低い。したがって、タッチ入力が有効となっても、意図しないタッチ入力が生じる可能性は低い。他方、入力受付面３１ａが横向きである場合（Ｓ２１：ＮＯ）、制御部７０は、Ｓ１２において入力受付面３１ａの水平面に対する角度ｄに基づいて判定を行う。
【００６７】
＜実施形態２の効果＞
以上、実施形態２によれば、以下の効果が奏される。
【００６８】
入力受付面３１ａが縦向きの場合、入力受付面３１ａの水平面に対する角度ｄが閾値ｄ０以下であっても、実施形態１とは異なりタッチ入力は無効とされない。これにより、ユーザが情報端末装置１を机等に置いて使用するような場合でも、入力受付面３１ａが縦向きであれば、デジタイザペン２０とタッチの両方による入力が可能となるため、ユーザの利便性が向上する。
【００６９】
図９（ａ）は、入力受付面３１ａが縦向き、かつ、角度ｄが閾値ｄ０以下の状態を示す図である。図６（ａ）を参照して説明したように、角度ｄが小さいと、デジタイザペン２０を持つユーザの手は入力受付面３１ａに接触しやすい。しかしながら、入力受付面３１ａが縦向きであると、デジタイザペン２０を持つユーザの手は、デジタイザペン２０に対して入力受付面３１ａの短辺が延びる方向に位置付けられる。このため、デジタイザペン２０を持つユーザの手は、入力受付面３１ａに接触しにくくなる。図９（ａ）の状態の場合、図８に示す処理によれば、タッチ切替スイッチ４０がオンのときに、タッチ入力が無効とされることはない。よって、デジタイザペン２０とタッチの両方による入力が可能となるため、ユーザの利便性が向上する。また、ユーザの手が入力受付面３１ａに接触する可能性が低いため、ユーザにとって意図しないタッチ入力が、使用形態から未然に回避される。
【００７０】
図９（ｂ）は、入力受付面３１ａが縦向き、かつ、角度ｄが閾値ｄ０より大きい状態を示す図である。この場合、図６（ｂ）を参照して説明したように、角度ｄが大きいと、デジタイザペン２０を持つユーザの手は入力受付面３１ａに接触しにくい。また、入力受付面３１ａが縦向きであるため、デジタイザペン２０を持つユーザの手は入力受付面３１ａに接触しにくい。図９（ｂ）の状態の場合、図８に示す処理によれば、タッチ切替スイッチ４０がオンのときに、タッチ入力が無効とされることはない。よって、ユーザの利便性が向上し、意図しないタッチ入力が使用形態から未然に回避される。
【００７１】
図１０（ａ）は、入力受付面３１ａが横向き、かつ、角度ｄが閾値ｄ０以下の状態を示す図である。図６（ａ）を参照して説明したように、角度ｄが小さいと、デジタイザペン２０を持つユーザの手は入力受付面３１ａに接触しやすい。さらに、入力受付面３１ａが横向きであると、デジタイザペン２０を持つユーザの手は、デジタイザペン２０に対して入力受付面３１ａの長辺が延びる方向に位置付けられる。このため、デジタイザペン２０を持つユーザの手は、入力受付面３１ａに接触しやすくなる。図１０（ａ）において、楕円で囲んだ部分は、ユーザの手が接触している入力受付面３１ａの部分を示している。しかしながら、図１０（ａ）の状態の場合、図８に示す処理によれば、タッチ切替スイッチ４０がオンのときでも、タッチ入力が無効とされる。よって、ユーザにとって意図しないタッチ入力を抑制できる。
【００７２】
図１０（ｂ）は、入力受付面３１ａが横向き、かつ、角度ｄが閾値ｄ０より大きい状態を示す図である。この場合も、入力受付面３１ａが横向きであるため、デジタイザペン２０を持つユーザの手は入力受付面３１ａに接触しやすい。しかしながら、図６（ｂ）を参照して説明したように、角度ｄが大きいと、デジタイザペン２０を持つユーザの手は入力受付面３１ａに接触しにくくなる。図１０（ｂ）の状態の場合、図８に示す処理によれば、タッチ切替スイッチ４０がオンのときに、タッチ入力が無効とされることはない。よって、ユーザの利便性が向上し、意図しないタッチ入力が使用形態から未然に回避される。
【００７３】
なお、入力受付面３１ａが縦向きであるか否かの判定を行うＳ２１の処理は、Ｓ１１とＳ１２の処理の間で行われたが、Ｓ２１の処理は、Ｓ１２の処理でＮＯと判定された後で行われても良い。この場合、Ｓ２１でＹＥＳと判定されると処理がＳ１３に進められ、Ｓ２１でＮＯと判定されるとＳ１３の処理がスキップされる。
【００７４】
以上、本発明の実施形態について説明したが、本発明は上記実施形態に何ら制限されるものではない。
【００７５】
たとえば、上記実施形態では、ペンを用いた入力が、電磁式のデジタイザペン２０とデジタイザセンサ３４により行われたが、他の方式の手書き入力デバイスにより行われても良い。また、上記実施形態では、タッチパッド３３は、静電容量式のタッチパッドとされたが、感圧式、光検出式等、他の方式のタッチパッドであっても良い。
【００７６】
また、上記実施形態では、タッチパッド３３がタッチ入力を検出すると、ハードウェア割り込みにより、座標信号および面積信号が、タッチパッド３３から制御部７０に送信された。しかしながら、これに限らず、制御部７０が一定間隔でタッチパッド３３に問い合わせを行うことにより、座標信号と面積信号が、タッチパッド３３から制御部７０に送信されても良い。
【００７７】
また、上記実施形態では、傾き取得部７３は、入力受付面３１ａの水平面に対する角度を取得したが、入力受付面３１ａの重力方向に対する角度を取得しても良い。この場合、図４、７、８のＳ１２において、入力受付面３１ａの重力方向に対する角度が閾値ｄ０より小さいか否かが判定される。
【００７８】
また、上記実施形態では、傾き取得部７３は、加速度センサ５０の検出信号とジャイロセンサ６０の検出信号に基づいて入力受付面３１ａの水平面に対する角度ｄを取得したが、加速度センサ５０の検出信号のみに基づいて角度ｄを取得しても良い。なお、加速度センサ５０とジャイロセンサ６０の両方の検出信号を用いると、加速度センサ５０の検出信号のみを用いる場合に比べて、精度良く角度ｄを取得できる場合がある。このような場合、傾き取得部７３は、上記実施形態のように、加速度センサ５０とジャイロセンサ６０の両方の検出信号を用いるのが望ましい。
【００７９】
また、上記実施形態では、制御部７０は、タッチパッド３３から受信した座標信号および面積信号を、タッチイベントとして手書きアプリ実行部７２に通知しないことにより、タッチパッド３３に対するタッチ入力を無効にした。しかしながら、これに限らず、制御部７０は、タッチパッド３３の動作を無効にすることにより、タッチパッド３３に対するタッチ入力を無効にしても良い。ただし、この場合、上述したようにタッチパッド３３に対するタッチ入力が円滑に無効にできなくなる可能性があるため、上記実施形態のようにタッチパッド３３に対するタッチ入力が無効にされるのが望ましい。
【００８０】
また、上記実施形態２では、図８のＳ２１において、制御部７０は、記憶部７１に記憶されている入力受付面３１ａの向きに基づいて向きの判定を行ったが、記憶部７１に記憶されている向きを用いず、加速度センサ５０の検出信号に基づいて向きの判定を行っても良い。
【００８１】
また、上記実施形態では、タッチ切替スイッチ４０により、タッチパッド３３に対するタッチ入力が有効および無効に切り替えられたが、タッチ切替スイッチ４０は省略されても良い。この場合、図４、７、８のＳ１１の処理は省略される。タッチ切替スイッチ４０が省略された場合でも、上述したように制御が行われれば、入力受付面３１ａの角度や向きに応じてタッチ入力が無効とされるため、意図しないタッチ入力を抑制できる。
【００８２】
この他、本発明の実施形態は、特許請求の範囲に示された技術的思想の範囲内において、適宜、種々の変更が可能である。
【符号の説明】
【００８３】
１  情報端末装置
２０  デジタイザペン（筆記具）
３１ａ  入力受付面
３２  液晶表示部（表示部）
３３  タッチパッド（第１入力受付部）
３４  デジタイザセンサ（第２入力受付部）
５０  加速度センサ（第１センサ部、第２センサ部）
６０  ジャイロセンサ（第１センサ部）
７０  制御部
７１  記憶部
７２  手書きアプリ実行部（実行部）
７３  傾き取得部（制御部）
７４  向き判定部（制御部）
８０  閾値設定画面
【図１】
0006508652.tif 000002
【図２】
0006508652.tif 000003
【図３】
0006508652.tif 000004
【図４】
0006508652.tif 000005
【図５】
0006508652.tif 000006
【図６】
0006508652.tif 000007
【図７】
0006508652.tif 000008
【図８】
0006508652.tif 000009
【図９】
0006508652.tif 000010
【図１０】
0006508652.tif 000011